(57)【要約】【課題】ヒューズが収容された接続装置の小型化を図ること。【解決手段】接続装置１は、内部に収容空間１２Ａを有し、収容空間１２Ａが第１の収容空間１２Ａ１と第２の収容空間１２Ａ２と第３の収容空間１２Ａ３とに区画されたハウジング１０と、軸状に延伸し、その延伸方向の両端部にそれぞれ端子５０が設けられるとともに、第１の収容空間１２Ａ１内に収容されるヒューズ４０であって、延伸方向についてヒューズ４０の一端部から他端部に至るまでの範囲内で、端子５０の各々から第１の収容空間１２Ａ１と第２の収容空間１２Ａ２とに跨る形でそれぞれ伸びる一対の締結部５４を有するヒューズ４０と、を備える。【選択図】図５
2015219967.tif 000002
【特許請求の範囲】
【請求項１】
内部に収容空間を有し、該収容空間が第１の収容空間と第２の収容空間と第３の収容空間とに区画されたハウジングと、
軸状に延伸し、その延伸方向の両端部にそれぞれ端子が設けられるとともに、前記第１の収容空間内に収容されるヒューズであって、前記延伸方向について該ヒューズの一端部から他端部に至るまでの範囲内で、前記端子の各々から前記第１の収容空間と前記第２の収容空間とに跨る形でそれぞれ伸びる一対の締結部を有するヒューズと、
を備える接続装置。
【請求項２】
前記第２の収容空間内に収容される一対の収容部と、
前記一対の収容部にそれぞれ収容されるとともに、前記締結部の各々を前記収容部に対してそれぞれ締結する一対の締結部材と、を備え、
前記一対の収容部の各々が前記ハウジングと別体とされている、請求項１に記載の接続装置。
【請求項３】
少なくとも一方の前記収容部が、前記第３の収容空間側に張り出す張出部を有する、請求項２に記載の接続装置。
【請求項４】
前記一対の収容部が一体とされている、請求項２又は請求項３に記載の接続装置。
【発明の詳細な説明】
【技術分野】
【０００１】
本明細書で開示される技術は、接続装置に関する。
【背景技術】
【０００２】
従来、電気機器側の端子と電線との間を接続する接続装置において、電線側に過電流が流れることを防止するため、内部に設けられた収容空間内にヒューズが収容されたものが知られている。このような接続装置の一例として、例えば特許文献１に記載のコネクタが知られている。このコネクタでは、ヒューズの両端部にそれぞれ接続端子部が設けられ、各接続端子部に形成されたボルト挿通孔にボルトが挿通されることで、コネクタの収容空間内にヒューズがボルト締結された状態で収容される。
【先行技術文献】
【特許文献】
【０００３】
【特許文献１】特開２０１１−２２２３９８号公報
【発明の概要】
【発明が解決しようとする課題】
【０００４】
ところで、上記のような接続装置では、収容空間内に収容される各部材の中でヒューズが特に大きな部材とされる。このため、上記のような接続装置において、接続装置の小型化を図るべく、コネクタの収容空間内に各部材を密集させた形で収容する場合、収容空間内の大部分をヒューズが占めることとなる。そこで、接続装置の小型化を図るためには、コネクタの収容空間をヒューズの延伸方向についてなるべく小さい寸法とすることが考えられる。
【０００５】
しかしながら、上記特許文献１に記載のコネクタでは、ヒューズの両端部に設けられた各接続端子部が、ヒューズの延伸方向に沿ってヒューズの外側に延伸する形で設けられている。このため、コネクタの収容空間をヒューズの延伸方向について小さい寸法とすることが難しく、コネクタの小型化を図り難いという問題があった。
【０００６】
本明細書で開示される技術は、上記の課題に鑑みて創作されたものであって、ヒューズが収容された接続装置の小型化を図ることを目的とする。
【課題を解決するための手段】
【０００７】
本明細書で開示される技術は、内部に収容空間を有し、該収容空間が第１の収容空間と第２の収容空間と第３の収容空間とに区画されたハウジングと、軸状に延伸し、その延伸方向の両端部にそれぞれ端子が設けられるとともに、前記第１の収容空間内に収容されるヒューズであって、前記延伸方向について該ヒューズの一端部から他端部に至るまでの範囲内で、前記端子の各々から前記第１の収容空間と前記第２の収容空間とに跨る形でそれぞれ伸びる一対の締結部を有するヒューズと、を備える接続装置に関する。
【０００８】
上記の接続装置では、ハウジングの第１の収容空間内にヒューズが収容され、ヒューズの両端部に設けられた各端子の締結部が、ヒューズの延伸方向についてヒューズの一端部から他端部に至るまでの範囲内で伸びている。このため、各端子の締結部がヒューズの延伸方向についてヒューズの外側にはみ出すことがなく、第１の収容空間のヒューズの延伸方向についての寸法を、ヒューズの延伸方向の寸法に近い大きさとすることができる。さらに、各端子の締結部は第１の収容空間と第２の収容空間とに跨る形で伸びているので、第２の収容空間内において各端子の締結部をボルト等によってハウジングに対して締結することができ、第１の収容空間内に各端子の締結部を締結するためのスペースを別途確保する必要がない。
【０００９】
以上のように上記の接続装置では、ヒューズが収容されるハウジングの第１収容空間のヒューズの延伸方向についての寸法を、ヒューズの延伸方向の寸法に近い寸法とすることができる。その結果、ハウジングに対してヒューズを締結するための締結部が、ヒューズの両端部からヒューズの延伸方向の外側に向かって延伸する従来の構成と比べて、接続装置の小型化を図ることができる。なお、第３の収容空間内には、例えばヒューズが接続されない導電部材等を収容することができる。
【００１０】
上記の接続装置において、前記第２の収容空間内に収容される一対の収容部と、前記一対の収容部にそれぞれ収容されるとともに、前記締結部の各々を前記収容部に対してそれぞれ締結する一対の締結部材と、を備え、前記一対の収容部の各々が前記ハウジングと別体とされていてもよい。
【００１１】
一対の締結部材を収容するための一対の収容部の各々がハウジングと一体とされていると、接続装置の組み付け工程において、例えば第３の収容空間内に部材を収容する際に、各収容部による段差によって当該部材が各収容部と干渉することがあり、当該部材を第３の収容空間内に収容し難いことがある。上記の構成によると、各収容部がハウジングと別体とされているので、接続装置の組み付け工程において、先に例えば第３の収容空間内に部材を収容し、その後に第２の収容空間内に各収容部を収容することができる。このため、第３の収容空間内に部材を収容する際に、当該部材が各収容部と干渉することがなく、接続装置の組み付け易さを向上させることができる。
【００１２】
上記の接続装置において、少なくとも一方の前記収容部が、前記第３の収容空間側に張り出す張出部を有してもよい。
【００１３】
この構成によると、接続装置の組み付け工程において、先に例えば第３の収容空間内に部材を収容し、その後に第２の収容空間内に各収容部を収容することで、当該部材を収容部から張り出す張出部とハウジングとの間に挟み込むことができる。これにより、第３の収容空間内に収容される部材をハウジングに対して保持することができる。
【００１４】
上記の接続装置において、前記一対の収容部が一体とされていてもよい。
【００１５】
この構成によると、接続装置の組み付け工程において、各収容部を第２収容空間内に一括して収容することができるので、接続装置の組み付け易さを一層向上させることができる。
【発明の効果】
【００１６】
本明細書で開示される技術によれば、ヒューズが収容された接続装置の小型化を図ることができる。
【図面の簡単な説明】
【００１７】
【図１】実施形態１に係る接続装置の斜視図
【図２】接続装置の前面図
【図３】接続装置の後面図
【図４】図３におけるIV−IV断面の断面構成であって、接続装置の平断面図
【図５】後方カバーが外された状態の接続装置の後面図
【図６】後方カバーが外された状態の接続装置を後面側から視た斜視図
【図７】接続装置の分解斜視図
【図８】ヒューズの平面図
【図９】ヒューズの側面図
【図１０】接続装置の組み付け工程（１）を示す後面図
【図１１】接続装置の組み付け工程（２）を示す後面図
【図１２】接続装置の組み付け工程（３）を示す後面図
【図１３】接続装置の組み付け工程（４）を示す後面図
【図１４】接続装置の組み付け工程（５）を示す後面図
【発明を実施するための形態】
【００１８】
図面を参照して実施形態を説明する。本実施形態では、インバータ等の電気機器（不図示）側に設けられた端子と電線（不図示）との間を接続する接続装置１を例示する。この接続装置１は、その内部に後述するヒューズ４０が収容されており、電気機器側から電線側に過電流が流れることを防止する。以下では、電気機器側の端子との接続側、即ち図１の左側下方を接続装置１の前方とし、電線との接続側、即ち図１の下方を接続装置１の下方として説明する。また、接続装置１の前後方向と上下方向との両者に直交する方向を接続装置１の左右方向とする。
【００１９】
接続装置１は、図１から図３に示すように、ハウジング１０と、電気機器側の端子に接続される一対の平板状（タブ状）の機器側接続部２０，２１と、上下に伸びる形で配され、その下端部が電線に接続される円柱状（ピン状）の一対の電線側接続部３０，３１と、軸状に延伸するヒューズ４０（図５参照）と、ヒューズ４０の延伸方向における両端部に設けられた一対の端子５０とを備えている。なお、以下では、一対の機器側接続部２０，２１について、その一端部側を電気機器側の端子と接続される側として説明し、一対の電線側接続部３０，３１について、その下端部側を電線と接続される側として説明する。
【００２０】
ハウジング１０は、図２に示すように、正面視矩形状の箱型である本体部１２と、本体部１２の上側前面から前方に向かって横長の筒状に伸びる機器側フード部１４と、本体部１２の底面から下方に向かって横長の筒状に伸びる電線側フード部１６と、からなっている。このうち機器側フード部１４は、一対の機器側接続部２０，２１の一端部側を、所定の間隔を空けつつ取り囲む形で設けられている（図２参照）。電線側フード部１６は、本体部１２から下方に伸びる一対の電線側接続部３０，３１の一部を、所定の間隔を空けつつ取り囲む形で設けられている。
【００２１】
なお、電線側フード部１６の内側に形成された空間には、図７に示すように、一対の挿通孔を有するシール部材Ｓ１と、シール部材Ｓ１の下方に配され、一対の挿通孔を有する蓋体Ｃ１とがそれぞれ配されている。シール部材Ｓ１及び蓋体Ｃ１は、一対の挿通孔にそれぞれ一対の電線側接続部３０，３１が挿通された状態で電線側フード部１６の内側に配されることで、電線側フード部１６の下方側をシールする。
【００２２】
ハウジング１０の本体部１２は、その内部に収容空間１２Ａ（図５参照）を有している。また、ハウジング１０の本体部１２の後方側には、図３に示すように、後方カバー１８が装着されている。この後方カバー１８は、接続装置１の組み付け作業を容易にするためのものであり、その外周面に本体部１２の内部をシールするためのゴムリング１９（図４参照）を備えている。この後方カバー１８が外された状態では、図５に示すように、収容空間１２Ａ内に収容された各部材が外部に臨むものとされる。
【００２３】
本体部１２の収容空間１２Ａは、図５に示すように、左右方向に亘って第１の収容空間１２Ａ１と第２の収容空間１２Ａ２と第３の収容空間１２Ａ３とに区画されている。このうち第３の収容空間１２Ａ３は、その左右方向の寸法が第１の収容空間１２Ａ１及び第２の収容空間１２Ａ２と比べて小さくなっている。また、本体部１２の上下方向の寸法は、ヒューズ４０の延伸方向の寸法に近い寸法となっている。
【００２４】
本体部１２において、第１の収容空間１２Ａ１内には、ヒューズ４０が収容されている。第２の収容空間１２Ａ２内には、一対の収容部６０と、一対のボルト（締結部材の一例）６２と、一対のナット（締結部材の一例）６４（図７参照）とがそれぞれ収容されている。第３の収容空間１２Ａ３内には、互いに接続された他方の機器側接続部２１の他端部側と他方の電線側接続部３１の上端部とが上下方向に伸びる形でそれぞれ収容されている。本体部１２の収容空間１２Ａ内には、これらの各部材が密集した形で収容されている。なお、収容空間１２Ａ内に収容された各部材の構成、収容態様、接続態様等については、後で詳しく説明する。
【００２５】
ハウジング１０において、本体部１２の収容空間１２Ａと機器側フード部１４の内側に形成された空間との間には、図１０に示すように、両空間を連通するとともに開口が矩形状である一対の第１連通孔７０が設けられている。各第１連通孔７０は、その開口の大きさが一対の機器側接続部２０，２１の断面の大きさとほぼ同等とされている。また、本体部１２の収容空間１２Ａと電線側フード部１６の内側に形成された空間との間には、図６に示すように、両空間を連通する第２連通孔７２が設けられている。
【００２６】
接続装置１では、図５に示すように、一方の機器側接続部２０と一方の電線側接続部３０とが、ヒューズ４０及び一対の端子５０を介して互いに接続されている。即ち、一方の機器側接続部２０は、その他端部側が第１連通孔７０を貫通して収容空間１２Ａ内まで伸びており、第２の収容空間１２Ａ２内において後述する一方の端子５０の締結部５４と接続されている。一方の機器側接続部２０の他端部には、図７に示すように、ボルト６２が挿通される円形の機器側ボルト挿通孔２０Ａが形成されている。
【００２７】
そして、一方の電線側接続部３０は、その上側部分が第２連通孔７２を貫通して収容空間１２Ａまで伸びるともに、第２の収容空間１２Ａ２内において後述する他方の端子５０の締結部５４と接続されており、その下側部分が電線側フード部１６の下端からハウジング１０の外側に露出して下方側に伸びている。一方の電線側接続部３０の上端部には、金属製のタブが取り付けられており、その先端部には、ボルト６２が挿通される円形の電線側ボルト挿通孔３０Ａが形成されている（図７参照）。
【００２８】
一方、接続装置１では、図５に示すように、他方の機器側接続部２１と他方の電線側接続部３１とが直接接続されている。即ち、他方の機器側接続部２１は、その他端部側が第１連通孔７０を貫通して収容空間１２Ａ内まで伸びており、第３の収容空間１２Ａ３内において他方の電線側接続部３１の上端部と接続されている。他方の電線側接続部３１は、その下側部分が電線側フード部１６の下端からハウジング１０の外側に露出して下方側に伸びている。
【００２９】
なお、一対の機器側接続部２０，２１では、図７に示すように、それぞれその一端部が他の部位に対して略直角に屈曲されている。このため、本実施形態では、一対の機器側接続部２０，２１の一端部をそれぞれ接続装置１の前方に露出させながら、本体部１２の収容空間１２Ａ内において、一対の機器側接続部２０，２１の他端部を下方へと引き出すことができるようになっている。
【００３０】
続いてハウジング１０における本体部１２の収容空間１２Ａ内に収容された各部材の構成、収容態様、接続態様等について説明する。第１の収容空間１２Ａ１内に収容されたヒューズ４０は、内部に消弧砂が充填された公知のもの（例えば限流ヒューズ）であり、その延伸方向が上下方向に沿った姿勢で配され、図４に示すように、その延伸方向（上下方向）から視た断面が円形とされている。第１の収容空間１２Ａ１の左右方向の寸法は、ヒューズ４０の幅（左右方向の寸法）とほぼ同等となっており、ヒューズ４０が収容される第１の収容空間１２Ａ１内において、左右方向について余分なスペースが生じないようになっている。ヒューズ４０は、その上下方向における両端部に一対の端子５０が取り付けられることで、一対の端子５０の間を電気的に接続している。
【００３１】
一対の端子５０は、図５、図８及び図９に示すように、それぞれ円筒部５２と締結部５４とを有しており、互いに鏡面対称の形状とされる。各端子５０の円筒部５２は、円筒状であり、ヒューズ４０の両端部に直接取り付けられている。各端子５０の締結部５４は、各円筒部５２のうち、ヒューズ４０の延伸方向におけるヒューズ４０の中央側寄りの端部から、ヒューズ４０の延伸方向（上下方向）についてヒューズ４０の一端部から他端部に至るまでの範囲Ｒ１内で（図５参照）、ヒューズ４０の延伸方向と略直交する方向に伸びている。また、各締結部５４は、その板面がヒューズ４０の延伸方向に沿った形で平板状に伸びている（図５参照）。各締結部５４において、円筒部５２から伸びる先端部には、ボルト６２が挿通される円形の端子側ボルト挿通孔５４Ａが形成されている（図８参照）。
【００３２】
ヒューズ４０は、図５に示すように、その延伸方向が上下方向に沿うともに、ヒューズ４０の両端部に取り付けられた各端子５０の締結部５４がその板面を前後方向に向けた形で本体部１２の後方側に位置するような姿勢で、第１の収容空間１２Ａ１内に収容されている。そして、ヒューズ４０が第１収容空間１２Ａ内に収容された状態では、図５に示すように、各端子５０の締結部５４は、第１の収容空間１２Ａ１と第２の収容空間１２Ａ２とに跨る形で左右方向に伸びている。従って、各端子５０の締結部５４に形成された端子側ボルト挿通孔５４Ａは、第２の収容空間１２Ａ２内に位置している。
【００３３】
上記のように各端子５０の締結部５４が本体部１２の後方側に位置することで、第２の収容空間１２Ａ２内に位置する各締結部５４の端子側ボルト挿通孔５４Ａは、前後方向について、本体部１２の前方側壁からヒューズ４０の幅以上に離れた状態となっている。そして、上述した一対の収容部６０は、第２収容空間１２Ａ２内において、各端子側ボルト挿通孔５４Ａと本体部１２の前方側壁との間の隙間に収容されている。一対の収容部６０の間隔は、各締結部５４の間隔とほぼ等しくなっている。
【００３４】
一対の収容部６０は、図７及び図１２に示すように、いずれも一方が略正方形状に開口する略箱型であり、内部に収容空間が設けられている。一対の収容部６０は、各端子側ボルト挿通孔５４Ａと本体部１２の前方側壁との間において、その開口を後方側に向けるととともに上下に隣接した形で、第２の収容空間１２Ａ２内に収容されている。一対の収容部６０の内部には、上述したナット６４がそれぞれ収容されている。これらのナット６４は、円筒状であり、その筒軸方向が前後方向に沿った姿勢で各収容部６０の内部に圧入によって収容されている（図４参照）。なお、第２の収容空間１２Ａ２の左右方向の寸法は、各収容部６０の幅とほぼ同等となっており、各収容部６０が収容される第２の収容空間１２Ａ２内において、左右方向について余分なスペースが生じないようになっている。また、一対の収容部６０は、ハウジング１０とは別体とされている。
【００３５】
上述した一対のボルト６２のうち一方のボルト６２は、図５及び図７に示すように、ヒューズ４０の上端部に取り付けられた一方の端子５０の端子側ボルト挿通孔５４Ａと機器側ボルト挿通孔２０Ａとに挿通されるとともに、上下に並列配置された一対の収容部６０のうち上側に配された収容部６０内のナット６４に螺合されている。これにより、一方の端子５０と一方の機器側接続部２０との間で電気的な接続が図られている。
【００３６】
一方、上述した一対のボルト６２のうち他方のボルト６２は、図５及び図７に示すように、ヒューズ４０の下端部に取り付けられた他方の端子５０の端子側ボルト挿通孔５４Ａと電線側ボルト挿通孔３０Ａとに挿通されるとともに、上下に並列配置された一対の収容部６０のうち下側に配された収容部６０内のナット６４に螺合されている。これにより、他方の端子５０と一方の電線側接続部３０との間で電気的な接続が図られている。
【００３７】
第３の収容空間１２Ａ３のうち上側部分には、図１１に示すように、他方の機器側接続部２１の他端部側が収容されている。また、第３の収容空間１２Ａ３のうち下側部分には、他方の電線側接続部３１の上端部が収容されている。他方の電線側接続部３１の上端部は、板状に成形された溶接部３１Ａとされている（図７参照）。他方の機器側接続部２１の他端部と他方の電線側接続部３１の溶接部３１Ａは、第３の収容空間１２Ａ３の上下方向における略中央の位置において、抵抗溶接によって接続されている。図５に示すように、互いに接続された他方の機器側接続部２１と他方の電線側接続部３１は、第３の収容空間１２Ａ３内において、一対の収容部６０を迂回する形で配されている。
【００３８】
ここで、第２の収容空間１２Ａ２内において上下に並列配置された一対の収容部６０のうち上側に配された収容部６０は、その外周面における前後方向の略中央の位置から外側に張り出す張出部６０Ａを有している。この張出部６０Ａは、図５に示すように、その一部が第３の収容空間１２Ａ３側に張り出している。また、この張出部６０Ａは、第３の収容空間１２Ａ３内において、他方の機器側接続部２１の後方側に位置している。このため、他方の機器側接続部２１は、第３の収容空間１２Ａ３内において、本体部１２の前方側壁と張出部６０Ａとの間に挟み込まれた状態となっている（図４参照）。
【００３９】
以上が接続装置１の構成であり、続いて接続装置１の組み付け方法について説明する。まず、接続装置１の組み付けに先立って、本体部１２の第２の収容空間１２Ａ２内に収容される各収容部６０に圧入によってナット６４をそれぞれ収容する。また、他方の機器側接続部２１の他端部と他方の電線側接続部３１の上端部とを抵抗溶接によって接続する。また、ヒューズ４０の両端部に上述したような締結部５４が設けられた各端子５０をそれぞれ取り付ける。このとき、図８に示すように、各端子５０の締結部５４が同一平面上に位置する形となるように、ヒューズ４０の両端部に各端子５０を取り付ける。
【００４０】
その後、図１０に示すように、本体部１２の収容空間１２Ａ内が空の状態とされたハウジング１０を用意し、本体部１２の後方カバー１８が外された状態で、各部材を収容空間１２Ａ内に収容していく。なお、図１０に示すように、本体部１２の第２の収容空間１２Ａ２には、各収容部６０が配置される位置に各収容部６０の底面の輪郭に沿って後方にわずかに突出してなる凸部１２Ｃが予め設けられている。また、図７に示すように、第２の収容空間１２Ａ２内において各収容部６０が収容される部位には、本体部１２の前方側壁から、その板面を上下方向に向けた姿勢で板状に伸びる隔離板１２Ｄが予め設けられている。
【００４１】
接続装置１の組み付け工程では、まず、図１１に示すように、互いに接続された他方の機器側接続部２１と他方の電線側接続部３１とを電線側フード部１６の下方側から本体部１２の収容空間１２Ａ内へと挿入する。そして、他方の機器側接続部２１の一端部を一方の第１連通孔７０に貫通させ、機器側フード部１４の内側に形成された空間内に露出させる。これにより、図１１に示すように、互いに接続された他方の機器側接続部２１と他方の電線側接続部３１とが第３の収容空間１２Ａ３内に収容される。
【００４２】
次に、図１２に示すように、本体部１２の第２の収容空間１２Ａ２に設けられた凸部１２Ｃの内側にナット６４が収容された各収容部６０を収容する。上記のようにこの凸部１２Ｃが各収容部６０の底面の輪郭に沿って設けられているので、図４に示すように、凸部１２Ｃの内側に各収容部６０の底面近傍の部位を嵌め込むことができる。なお、各収容部６０を第２の収容空間１２Ａ２内に収容する際には、各収容部６０の間にこの隔離板１２Ｄが介在する形で各収容部６０を収容する。
【００４３】
また、各収容部６０を第２の収容空間１２Ａ２内に収容する際には、図１２に示すように、上下に並んで配置される各収容部６０のうち、張出部６０Ａが設けられた方の収容部６０が他方の収容部６０の上側に配置される形で収容する。これにより、他方の機器側端子部２１が本体部１２と張出部６０Ａの間に挟み込まれ、他方の機器側端子部２１が本体部１２に対して保持される。
【００４４】
次に、図１３に示すように、一方の機器側接続部２０を、その一端部を第１挿通孔７０に貫通させながら、その他端部に設けられた機器側ボルト挿通孔２０Ａを、一対の収容部６０のうち上側に配置された収容部６０内のナット６４と重ね合わせ、一方の機器側接続部２０を第２の収容空間１２Ａ２内に収容する。また、図１３に示すように、一方の電線側接続部３０の上端部を、電線側フード部１６の下方側から本体部１２の収容空間１２Ａ内へと挿入し、その上端部に設けられた電線側ボルト挿通孔３０Ａを、一対の収容部６０のうち下側に配置された収容部６０内のナット６４と重ね合わせ、一方の電線側接続部３０の上端部近傍を第２の収容空間１２Ａ２内に収容する。
【００４５】
次に、図１４に示すように、ヒューズ４０の延伸方向を上下方向に沿わせるとともに各端子５０の締結部５４が本体部１２の後方側に位置するように、第１の収容空間１２Ａ１内にヒューズ４０を収容する。このとき、各端子５０の締結部５４に設けられた端子側ボルト挿通孔５４Ａを、機器側ボルト挿通孔２０Ａ及び電線側ボルト挿通孔３０Ａにそれぞれ重ね合わせる形で、ヒューズ４０を第１の収容空間１２Ａ１内に収容する。
【００４６】
次に、図５に示すように、各ナット６４にそれぞれボルト６２を螺合し、一方の端子５０と一方の機器側接続部２０、及び他方の端子５０と一方の電線側接続部３０を、ボルトを介してそれぞれ締結する。その後、電線側フード部１６の下方側からシール部材Ｓ１及び蓋体Ｃ１を順に取り付けるとともに、後方カバー１８を本体部１２の後方側に取り付けることで、本実施形態の接続装置１が完成する。
【００４７】
以上説明したように本実施形態の接続装置１では、ハウジング１０の本体部１２における第１の収容空間１２Ａ１内にヒューズ４０が収容され、ヒューズ４０の両端部に設けられた各端子５０の締結部５４が、ヒューズ４０の延伸方向（上下方向）についてヒューズ４０の一端部から他端部に至るまでの範囲Ｒ１内で伸びている。このため、各端子５０の締結部５４がヒューズ４０の延伸方向についてヒューズ４０の外側にはみ出すことがなく、第１の収容空間１２Ａ１のヒューズ４０の延伸方向についての寸法を、ヒューズ４０の延伸方向の寸法に近い寸法とすることができる。さらに、各端子５０の締結部５４が第１の収容空間１２Ａ１と第２の収容空間１２Ａ２とに跨る形で伸びているので、第２の収容空間１２Ａ２内において各端子５０の締結部５４をボルト６２によってハウジング１０の本体部１２に対して締結することができ、第１の収容空間１２Ａ１内に各端子５０の締結部５４を締結するためのスペースを別途確保する必要がない。
【００４８】
このように本実施形態の接続装置１では、ハウジング１０の本体部１２の収容空間１２Ａ内に各部材を密集させた形で収容しながら、ヒューズ４０が収容される本体部１２の第１の収容空間１２Ａ１のヒューズ４０の延伸方向についての寸法を、ヒューズ４０の延伸方向の寸法に近づけることができる。その結果、ハウジングに対してヒューズを締結するための締結部が、ヒューズの両端部からヒューズの延伸方向の外側に向かって延伸する従来の構成と比べて、接続装置１の小型化を図ることができる。
【００４９】
また、本実施形態では、第３の収容空間１２Ａ３の左右方向の寸法が第１の収容空間１２Ａ１及び第２の収容空間１２Ａ２と比べて小さくなっている。このような構成とされていると、ヒューズ４０が接続されない導電部材、即ち互いに接続された他方の機器側接続部２１と他方の電線側接続部３１（以下、両者を一括して「ヒューズ非接続導電部材」と称する）が一対の収容部６０を迂回する形で配されるため、いびつな形状とされる。このため、接続装置１の組み付け工程において、一対の収容部６０が第２の収容空間１２Ａ２内に予め収容されていると、いびつな形状とされたヒューズ非接続導電部材を第３の収容空間１２Ａ３内に収容する際、一対の収容部６０による段差によって一対の収容部６０を迂回させる形でヒューズ非接続導電部材を収容することが困難となる。
【００５０】
この点、本実施形態の接続装置１では、一対の収容部６０がハウジング１０の本体部１２と別体とされているので、接続装置１の組み付け工程において、先に第３の収容空間１２Ａ３内にヒューズ非接続導電部材を収容し、その後に第２の収容空間１２Ａ２内に各収容部６０を収容することができる。このため、接続装置１の組み付け易さを向上させることができる。また、第３の収容空間１２Ａ３を第１の収容空間１２Ａ１及び第２の収容空間１２Ａ２と比べて狭くしながらも、ヒューズ非接続導電部材を第３の収容空間１２Ａ３内に収容することができ、接続装置１の一層の小型化を図ることができる。
【００５１】
また本実施形態の接続装置１では、一方の収容部６０が、第３の収容空間１２Ａ３側に張り出す張出部６０Ａを有している。このため、接続装置１の組み付け工程において、先に第３の収容空間１２Ａ３内にヒューズ非接続導電部材を収容し、その後に第２の収容空間１２Ａ２内に各収容部６０を収容することで、ヒューズ非接続導電部材を収容部６０から張り出す張出部６０Ａとハウジング１０の本体部１２との間に挟み込むことができる。これにより、第３の収容空間１２Ａ３内に収容されるヒューズ非接続導電部材をハウジング１０の本体部１２に対して保持することができる。
【００５２】
また本実施形態では、ヒューズ４０の一端部に設けられた端子５０が一方の機器側接続部２０に接続され、ヒューズ４０の他端部に設けられた端子５０が一方の電線側接続部３０に接続されている。このため、電気機器側の端子と電線との間を接続するための接続装置を、ヒューズ４０を収容するための部材として兼用することができ、ヒューズ４０を収容するための部材を別途配する必要がなく、部品点数の増加を抑えることができる。
【００５３】
また、仮にヒューズがインバータ等の電気機器の内部に配される構成である場合、ヒューズを交換する度にインバータを分解する必要があり、インバータの内部に塵等が入り込むことが懸念される。この点、本実施形態では、インバータ等の電気機器側の端子と電線との間を接続する接続装置１の内部にヒューズ４０が収容されるため、上記のような問題が生じることなく、ヒューズ４０を容易に交換することができる。
【００５４】
＜実施形態の変形例＞
次に、実施形態の変形例について説明する。本変形例では、ハウジングの本体部の第２収容空間内に上記隔離板が設けられておらず、当該第２収容空間内に収容される一対の収容部が一体とされている。接続装置のその他の構造、作用については上記の実施形態と同様である。本変形例では、このような構成とされていることで、接続装置の組み付け工程において、各収容部を第２収容空間内に一括して収容することができ、接続装置の組み付け易さを一層向上させることができる。
【００５５】
上記の実施形態の他の変形例を以下に列挙する。
（１）上記の実施形態では、接続装置の前方側が電気機器側の端子と接続される側とされ、電線との接続部が接続装置の下方に伸びるものとされた構成を例示したが、接続装置において、電気機器側の端子と接続される方向、電線との接続部が伸びる方向については、限定されない。
【００５６】
（２）上記の実施形態では、接続装置の一例としてインバータ等の電気機器側に設けられた端子と電線との間を接続する接続装置を例示したが、これに限定されない。本明細書で開示される接続装置は、様々な接続装置として適用することができる。
【００５７】
（３）上記の実施形態では、ハウジングが本体部と機器側フード部と電線側フード部とを備える構成を例示したが、ハウジングの構成及び形状については限定されない。
【００５８】
（４）上記の実施形態では、一対の機器側接続部がいずれも平板状（タブ状）とされた構成を例示したが、機器側接続部の形状については限定されない。例えば機器側接続部の少なくとも一方が円柱状（ピン状）とされた構成であってもよい。
【００５９】
（５）上記の実施形態では、本体部の第３の収容空間内にヒューズ非接続導電部材が収容される構成を例示したが、第３の収容空間内に収容される部材については限定されない。
【００６０】
（６）上記の実施形態では、ヒューズの一端部に設けられた一方の端子に機器側接続部が接続され、ヒューズの他端部に設けられた他方の端子に電線側接続部が接続された構成を例示したが、両端子がそれぞれ機器側接続部に接続された構成であってもよい。
【００６１】
（７）上記の実施形態では、他方の機器側接続部の他端部と他方の電線側接続部の上端部とが抵抗溶接によって接続された構成を例示したが、他方の機器側接続部と他方の電線側接続部との接続方法については限定されない。
【００６２】
以上、実施形態及び変形例について詳細に説明したが、これらは例示に過ぎず、特許請求の範囲を限定するものではない。特許請求の範囲に記載の技術には、以上に例示した具体例を様々に変形、変更したものが含まれる。
【符号の説明】
【００６３】
１…接続装置
１０…ハウジング
１２…本体部
１２Ａ…収容空間
１２Ａ１…第１の収容空間
１２Ａ２…第２の収容空間
１２Ａ３…第３の収容空間
１４…機器側フード部
１６…電線側フード部
２０…（一方の）機器側接続部
２１…（他方の）機器側接続部
３０…（一方の）電線側接続部
３１…（他方の）電線側接続部
４０…ヒューズ
５０…端子
５２…円筒部
５４…締結部
６０…収容部
６２…ボルト
６４…ナット
Ｒ１…ヒューズの延伸方向についてヒューズの一端部から他端部に至るまでの範囲
【図１】
2015219967.tif 000003
【図２】
2015219967.tif 000004
【図３】
2015219967.tif 000005
【図４】
2015219967.tif 000006
【図５】
2015219967.tif 000007
【図６】
2015219967.tif 000008
【図７】
2015219967.tif 000009
【図８】
2015219967.tif 000010
【図９】
2015219967.tif 000011
【図１０】
2015219967.tif 000012
【図１１】
2015219967.tif 000013
【図１２】
2015219967.tif 000014
【図１３】
2015219967.tif 000015
【図１４】
2015219967.tif 000016